(57)【要約】【課題】  複数の通信機能を有する通信端末における正確な通信状態を通知すること。【解決手段】  この通信状態情報提供システム１は、情報提供者側の携帯電話機２０１と、携帯電話機２０１から送出された通信状態情報を無線ＬＡＮ３０ａを介して受信する情報受信部１０１、情報受信部１０１によって受信された通信状態情報を、携帯電話機２０１を特定する電話番号に関連づけて格納する通信状態情報格納部１０５、及び通信状態情報格納部１０５に格納された通信状態情報を、携帯電話機２０１の電話番号に対応付けられた送信先に送信する情報送信部１０４手段、を有する情報提供装置１０とを備える。【選択図】  図１
2006033097.tif 000002
【特許請求の範囲】
【請求項１】
外部との間で通信を行う第１の通信手段と、
ネットワークを介して外部との間で通信を行う第２の通信手段と、
前記第１の通信手段における通信状態を検出する通信状態検出手段と、
前記通信状態を示す通信状態情報を、前記第２の通信手段に対して通知する通信状態通知手段とを備え、
前記第２の通信手段は、前記通信状態情報を前記ネットワークを介して送出する、
ことを特徴とする通信端末。
【請求項２】
前記通信状態検出手段は、前記第１の通信手段における通信状態として、前記第１の通信手段が外部との間で接続中であるか否かを検出する、
ことを特徴とする請求項１記載の通信端末。
【請求項３】
請求項１又は２に記載の通信端末と、
前記通信端末から送出された前記通信状態情報を前記ネットワークを介して受信する情報受信手段、
前記情報受信手段によって受信された前記通信状態情報を、前記通信端末を特定する通信端末特定情報に関連づけて格納する通信状態情報格納手段、及び
前記通信状態情報格納手段に格納された前記通信状態情報を、前記通信端末特定情報に対応付けられた送信先に送信する情報送信手段、
を有する情報提供装置と、
を備えることを特徴とする通信状態情報提供システム。
【請求項４】
通信端末の第１の通信手段が、外部との間で通信を行う第１の通信ステップと、
前記通信端末の第２の通信手段が、ネットワークを介して外部との間で通信を行う第２の通信ステップと、
前記通信端末が、前記第１の通信手段における通信状態を検出する通信状態検出ステップと、
前記通信端末が、前記通信状態を示す通信状態情報を、前記第２の通信手段に対して通知する通信状態通知ステップと、
前記通信端末が、前記第２の通信手段によって、前記通信状態情報を前記ネットワークを介して送出する通信状態送信ステップと、
情報提供装置が、前記通信端末から送出された前記通信状態情報を前記ネットワークを介して受信する情報受信ステップと、
前記情報提供装置が、前記情報受信ステップにおいて受信された前記通信状態情報を、前記通信端末を特定する通信端末特定情報に関連づけて格納する通信状態情報格納ステップと、
前記情報提供装置が、前記通信状態情報格納ステップにおいて格納された前記通信状態情報を、前記通信端末特定情報に対応付けられた送信先に送信する情報送信ステップと、
を備えることを特徴とする通信状態情報提供方法。
【発明の詳細な説明】
【技術分野】
【０００１】
本発明は、通信端末、通信状態情報提供システム、及び通信状態情報提供方法に関するものである。
【背景技術】
【０００２】
通信端末の位置情報等の個別情報を他人に提供するシステムの一例としては、サーバが情報提供者の移動通信端末の位置情報を受信し蓄積した後、情報要求者の移動通信端末に随時送信するというものがある（例えば、下記特許文献１参照。）。一方、近年では、移動通信端末等の通信端末において、異なる通信方式の通信機能を複数搭載して、１つの通信端末で複数通信方式による通信を可能としている（下記特許文献２参照）。
【特許文献１】特開２００２−２７１８３７号公報
【特許文献２】特開２００１−２２４０７１号公報
【発明の開示】
【発明が解決しようとする課題】
【０００３】
上述したような複数通信機能を有する通信端末の個別情報を他人に提供する場合、通信端末は複数通信機能のうちのいずれかの通信機能を利用して、ネットワークに接続されたサーバ等に個別情報を送信する。この場合、個別情報として通信端末の通信状態を提供したい場合は、サーバが接続されているネットワーク上での通信機能の通信状態を把握することは容易であるが、それ以外の通信機能の通信状態を把握することは困難である。この傾向は、無線ＬＡＮ通信方式、移動体通信方式、近距離無線方式等の異種通信機能が搭載された通信端末において顕著となる。
【０００４】
このように一部の通信機能の通信状態しか把握できない場合には、一方の通信機能における通信状態が、例えば、“着信待ち受け中”等の未接続状態であったとしても、他方の通信機能が使用中であるような場合が生じ、通信端末の通信状態を明確に知ることができない。その結果、複数通信機能を有する通信端末の実際の通信状態と他人に提供される通信状態との不一致が生じてしまう。
【０００５】
そこで、本発明はかかる課題に鑑みて為されたものであり、複数の通信機能を有する通信端末における正確な通信状態を通知することが可能な通信端末、通信状態情報提供システム、及び通信状態情報提供方法を提供することを目的とする。
【課題を解決するための手段】
【０００６】
上記課題を解決するため、本発明の通信端末は、外部との間で通信を行う第１の通信手段と、ネットワークを介して外部との間で通信を行う第２の通信手段と、第１の通信手段における通信状態を検出する通信状態検出手段と、通信状態を示す通信状態情報を、第２の通信手段に対して通知する通信状態通知手段とを備え、第２の通信手段は、通信状態情報をネットワークを介して送出する。
【０００７】
このような通信端末によれば、第１及び第２の通信手段を有する通信端末が、第１の通信手段における通信状態を検出して、その通信状態情報を第２の通信手段に通知し、第２の通信手段がネットワークを介して通信状態情報を送出するので、特定ネットワークを使用しない第１の通信手段の通信状態を、確実にネットワーク側に通知することができる。
【０００８】
また、通信状態検出手段は、第１の通信手段における通信状態として、第１の通信手段が外部との間で接続中であるか否かを検出することが好ましい。この場合、第１の通信手段が接続中であるかの情報をネットワーク側に通知できるので、通信端末がビジー状態（使用状態）であるかをネットワーク側に一括して把握させることができる。
【０００９】
或いは、本発明の通信状態情報提供システムは、上述の通信端末と、通信端末から送出された通信状態情報をネットワークを介して受信する情報受信手段、情報受信手段によって受信された通信状態情報を、通信端末を特定する通信端末特定情報に関連づけて格納する通信状態情報格納手段、及び通信状態情報格納手段に格納された通信状態情報を、通信端末特定情報に対応付けられた送信先に送信する情報送信手段、を有する情報提供装置とを備える。
【００１０】
或いは、本発明の通信状態情報提供方法は、通信端末の第１の通信手段が、外部との間で通信を行う第１の通信ステップと、通信端末の第２の通信手段が、ネットワークを介して外部との間で通信を行う第２の通信ステップと、通信端末が、第１の通信手段における通信状態を検出する通信状態検出ステップと、通信端末が、通信状態を示す通信状態情報を、第２の通信手段に対して通知する通信状態通知ステップと、通信端末が、第２の通信手段によって、通信状態情報をネットワークを介して送出する通信状態送信ステップと、情報提供装置が、通信端末から送出された通信状態情報をネットワークを介して受信する情報受信ステップと、情報提供装置が、情報受信ステップにおいて受信された通信状態情報を、通信端末を特定する通信端末特定情報に関連づけて格納する通信状態情報格納ステップと、情報提供装置が、通信状態情報格納ステップにおいて格納された通信状態情報を、通信端末特定情報に対応付けられた送信先に送信する情報送信ステップとを備える。
【００１１】
このような通信状態情報提供システム及び通信状態情報提供方法によれば、第１及び第２の通信手段を有する通信端末が、第１の通信手段の通信状態を検出した後、その通信状態情報を第２の通信手段に通知し、第２の通信手段がネットワーク側に送出する。また、情報提供装置が、通信端末から送出された通信状態情報を受信して、通信端末特定情報に関連づけて通信状態情報格納手段に格納し、予め通信端末特定情報に対応付けられている送信先に通信状態情報を送信する。これにより、特定ネットワークを使用しない通信手段の通信状態についても、その特定ネットワークを介して正確に把握させることができると共に、その通信状態情報を必要な送信先に提供することができる。
【発明の効果】
【００１２】
本発明によれば、複数の通信機能を有する通信端末における正確な通信状態を通知することができる。
【発明を実施するための最良の形態】
【００１３】
本発明の実施形態について図面を参照して説明する。なお、各図において、同一要素には同一符号を付して重複する説明を省略する。
【００１４】
図１は、本実施形態にかかる通信状態情報提供システムの概略構成図である。本実施形態にかかる通信状態情報提供システム１は、情報提供装置１０と、携帯電話機２０１、２０２とを含んで構成されている。また、携帯電話機２０１は、無線ＬＡＮ３０ａを介して情報提供装置１０と接続可能にされると共に、移動体通信ネットワーク３０ｂとも接続可能なように構成されている。
【００１５】
携帯電話機２０１、２０２は、音声通話と共にデータ通信も可能な情報通信端末である。以下本実施形態においては、携帯電話機２０１は、通信状態を示す通信状態情報を提供しようとするユーザが使用する携帯電話機であり、携帯電話機２０２は、携帯電話機２０１の通信状態情報を取得しようとするユーザが使用する携帯電話機であるものとして説明する。
【００１６】
図２は、携帯電話機２０１の好適な一実施形態を示す概略構成図である。基地局４０１は、携帯電話機２０１と無線信号の送受信を行うことにより、携帯電話機２０１を移動体通信ネットワーク３０ｂに接続させるための中継装置である。基地局４０１は、携帯電話機２０１と無線信号の送受信を行うことにより、携帯電話機２０１を無線ＬＡＮ３０ａに接続させるための中継装置である。
【００１７】
携帯電話機２０１は、機能的な構成要素として、第１無線部（第１の通信手段）６０３、第１通信状態検出部（通信状態検出手段）６０４、及び通信状態通知部（通信状態通知手段）６０５を含んで構成される移動体通信手段６０１と、第２無線部（第２の通信手段）６０７を含んで構成される無線ＬＡＮ通信手段６０２と、通信履歴情報格納部６０６とからなる。以下、携帯電話機２０１の構成要素について詳細に説明する。
【００１８】
第１無線部６０３は、基地局４０１及び移動体通信ネットワーク３０ｂを介して、移動体通信ネットワーク３０ｂに接続された外部通信機器（図示せず）との間で、音声通話、電子メール送受信、ファイル送受信等に関わるデータ通信を行う部分である。なお、第１無線部６０３は、ＰＤＣ（Personal Digital Cellular）方式、Ｗ−ＣＤＭＡ（Wideband-Code Division Multiple Access）方式、ＴＤＭＡ（Time Division Multiple Access）方式等の移動体通信方式を用いてデータ通信を行う。
【００１９】
第１通信状態検出部６０４は、第１無線部６０３の通信状態の変更を検出する部分である。具体的には、第１通信状態検出部６０４は、携帯電話機２０１において発信ボタンの押下等の所定操作が行われることにより、第１無線部６０３から移動体通信ネットワーク３０ｂに対して接続要求信号が送出される際に、その接続要求信号を検出することにより、第１無線部６０３の通信状態が“通信中”に変更されたと判断する。また、第１通信状態検出部６０４は、移動体通信ネットワーク３０ｂ側から送出された携帯電話機２０１に対する呼出信号を検出した場合においても、通信状態が“通信中”に変更されたと判断する。
【００２０】
さらに、第１通信状態検出部６０４は、第１無線部６０３が外部の通信機器と接続確立中の状態において、終話ボタンの押下等の所定操作が行われることにより第１無線部６０３から移動体通信ネットワーク３０ｂに対して切断信号が送出される際に、その切断信号を検出することにより、第１無線部６０３の通信状態が“通信終了”に変更されたと判断する。ここで、第１通信状態検出部６０４は、発信ボタン、終話ボタンの押下等の所定操作を検出することにより通信状態の変更を判断するようにしてもよいし、通信相手先の外部通信機器において切断操作が行われる際のビジートーンを検出することにより通信状態の変更を判断するようにしてもよい。
【００２１】
また、第１通信状態検出部６０４は、検出した通信状態を示す通信状態情報を通信履歴情報格納部６０６に格納する。図３は、通信履歴情報格納部６０６に格納されたデータの構成図を示す。同図に示すように、通信状態情報であるイベントコード“0010”及び通信イベント名“通信中”と、その通信状態の変更を検出した日時を意味するイベント日時“2004/06/21 12:00:00”と、接続要求信号、着信信号又は切断信号の携帯電話機２０１における発着を示す発着種別“発”とが、互いに関連づけて格納される。
【００２２】
通信状態通知部６０５は、第１通信状態検出部６０４によって通信履歴情報格納部６０６に格納された通信状態情報を、第１通信状態検出部６０４による検出の際に読み出して、第２無線部６０７に通知する部分である。図３の例によれば、通信状態通知部６０５は、発信種別“発”、イベント日時“2004/06/21 12:00:00”、イベントコード“0010”、及び通信イベント名“通信中”から構成されるデータを第２無線部６０７に通知する。
【００２３】
図１に戻って、第２無線部６０７は、無線ＬＡＮ親局５０１及び無線ＬＡＮ３０ａを介して、無線ＬＡＮ３０ａに接続された外部通信機器（図示せず）との間で、音声通話、電子メール送受信、ファイル送受信等に関わるデータ通信を行う部分である。ここで、第２無線部６０７は、IEEE（the Institute of Electrical and Electronic Engineers） 802.11a、IEEE 802.11c等によって規定された無線ＬＡＮ通信方式によりデータ通信を行う。さらに、第２無線部６０７は、通信状態通知部６０５から通知された通信状態情報を含むデータと、携帯電話機２０１の電話番号“090-XXXX-0001”とを、無線ＬＡＮ３０ａを介して、情報提供装置１０に向けて送出する。
【００２４】
情報提供装置１０は、物理的には、ＣＰＵ（中央処理装置）、メモリ、マウスやキーボードなどの入力装置、ディスプレイなどの表示装置、ハードディスクなどの格納装置などを備えたコンピュータシステムとして構成されている。また、情報提供装置１０は、機能的な構成要素として、図１に示すように、情報受信部１０１（情報受信手段）と、要求信号受信部１０２と、通信状態情報選択部１０３と、情報送信部１０４（情報送信手段）と、通信状態情報格納部１０５（通信状態情報格納手段）と、配信先情報格納部１０６とを備えて構成される。また、情報提供装置１０は、無線ＬＡＮ３０ａを通じて、携帯電話機２０１、２０２と情報の送受信が可能なように構成されている。以下、情報提供装置１０の構成要素について説明する。
【００２５】
情報受信部１０１は、携帯電話機２０１の第２無線部６０７から送出された通信状態情報を含むデータと、携帯電話機２０１の電話番号（通信端末特定情報）とを受信する部分である。また、情報受信部１０１は、受信したデータを携帯電話機２０１の電話番号に関連づけて、通信状態情報格納部１０５に格納する。図４は、このようにして通信状態情報格納部１０５に格納されたデータの構成図である。同図に示すように、情報受信部１０１は、通信状態情報であるイベントコード“0010”及び通信イベント名“通信中”とイベント日時“2004/06/21 12:00:00”と発着種別“発”とを受信した場合、これらのデータを携帯電話機２０１の電話番号“090-XXXX-0001”に関連づけて格納する。
【００２６】
図１に戻って、要求信号受信部１０２は、携帯電話機２０２から、携帯電話機２０１に関する通信状態情報を要求するための要求信号を受信する部分である。要求信号には、情報要求者側の携帯電話機２０２を特定するための電話番号“090-XXXX-0002”と、情報提供者側の携帯電話機２０１を特定するための電話番号“090-XXXX-0001”と、希望時刻情報とを含む。要求信号受信部１０２は、要求信号受信後、携帯電話機２０２の電話番号と携帯電話機２０１の電話番号と希望時刻情報とを、通信状態情報選択部１０３に対して出力する。なお、希望時刻情報は、情報要求者が当該希望時刻情報によって特定される時刻における携帯電話機２０１の情報を取得するためのものである。
【００２７】
また、通信状態情報選択部１０３は、要求信号受信部１０２において受信された要求信号に応じて、通信状態情報格納部１０５に格納された携帯電話機２０１の通信状態情報のうちから最新の情報を選択する部分である。すなわち、通信状態情報選択部１０３は、要求信号に含まれる情報提供者側の電話番号“090-XXXX-0001”に電話番号が一致し、かつ、イベント日時が最新であるデータを検索する。図４の例によれば、通信状態情報選択部１０３が、要求信号として情報提供者側の携帯電話機の電話番号“090-XXXX-0001”を受け取った場合は、電話番号“090-XXXX-0001”、イベント日時“2004/6/21 12:15:00”を含むデータを選択する。通信状態情報選択部１０３は、要求信号に含まれる希望時刻情報によって特定される時刻において上記の選択処理を行う。図１に戻って、通信状態情報選択部１０３は、選択した通信状態情報を含むデータを、情報要求者側である携帯電話機２０２の電話番号とともに情報送信部１０４に対して出力する。
【００２８】
また、通信状態情報選択部１０３は、携帯電話機２０２からの要求信号の受信有無に関わらず、能動的に通信状態情報を含むデータを情報送信部１０４に対して出力することも行う。具体的には、通信状態情報選択部１０３は、通信状態情報格納部１０５を所定のタイミングで繰り返し参照して、各電話番号についての最新のイベント日時を含むデータを順次選択して読み出す。そして、通信状態情報選択部１０３は、配信先情報格納部１０６を参照しながら、読み出した各データに含まれる電話番号に対応する送信先電話番号を特定する。
【００２９】
ここで、図５は、配信先情報格納部１０６に格納されたデータの構成図である。同図によれば、通信状態情報の提供者側の携帯電話機を特定する複数の登録電話番号“090-XXXX-0001/090-XXXX-0003/090-XXXX-0004/090-XXXX-0005”が、情報送信先の携帯電話機を特定する送信先電話番号“090-XXXX-0002”に関連づけて格納されている。
【００３０】
この場合、通信状態情報選択部１０３は、通信状態情報格納部１０５から各電話番号に関する最新の通信状態情報を含むデータを読み出した後、配信先情報格納部１０６を参照することにより、該当する電話番号を登録電話番号として含むデータを検索する。そして、通信状態情報選択部１０３は、検索したデータに基づいて、該当する電話番号に対応する送信先電話番号を特定する。例えば、図５の例によれば、通信状態情報選択部１０３は、通信状態情報格納部１０５から携帯電話機２０１に関する最新の通信状態情報を含むデータを読み出した後、携帯電話機２０１の電話番号“090-XXXX-0001”を登録電話番号として含む送信先電話番号として“090-XXXX-0002”及び“090-XXXX-0003”を特定する。通信状態情報選択部１０３は、情報提供者側の各電話番号についての通信状態情報を含むデータと各データに対応する送信先電話番号との組合せを、情報送信部１０４に出力する。
【００３１】
情報送信部１０４は、通信状態情報選択部１０３から出力された通信状態情報を含むデータを、無線ＬＡＮ３０ａを介して、情報送信先である携帯電話機に送信する部分である。具体的には、情報送信部１０４は、通信状態情報選択部１０３から、通信状態情報を含むデータと送信先電話番号“090-XXXX-0002”を受け取った場合は、そのデータを携帯電話機２０２に送信する。
【００３２】
続いて、本実施形態にかかる通信状態情報提供システムの動作について説明し、併せて、本発明の実施形態にかかる通信状態情報提供方法について説明する。図６は、通信状態情報提供システム１の動作を示すシーケンス図である。
【００３３】
まず、携帯電話機２０１において、ユーザにより発信ボタン押下等の所定の操作が行われることにより、移動体通信ネットワーク３０ｂに接続された外部通信機器との接続処理が開始される（ステップＳ０１）。その結果、第１通信状態検出部６０４により、第１無線部６０３における通信状態の“通信中”への変更が検出される（ステップＳ０２）。その後、通信状態通知部６０５から第２無線部６０７に対して、検出された通信状態情報を含むデータが通知される（ステップＳ０３）。
【００３４】
これに対して、第２無線部６０７により、通知された通信状態情報を含むデータが携帯電話機２０１の電話番号と共に、情報提供装置１０に送信される（ステップＳ０４）。送信された通信状態情報を含むデータは、情報提供装置１０の情報受信部１０１が受信し、携帯電話機２０１の電話番号に関連づけて通信状態情報格納部１０５に格納する（ステップＳ０５）。その後、通信状態情報選択部１０３が、通信状態情報格納部１０５に格納されている電話番号毎の最新の通信状態情報を読み出して、各電話番号に対応する送信先電話番号を特定した後、情報送信部１０４が通信状態情報を含むデータを送信先電話番号に向けて送信する（ステップＳ０６）。そうすると、送信先の携帯電話機のディスプレイ等の情報出力手段において、携帯電話機２０１の通信状態が“通信中”として出力される（ステップＳ０７、例えば、図７（ａ）参照。）。
【００３５】
一方、携帯電話機２０１における発信操作に応じて、第１無線部６０３から移動体通信ネットワーク３０ｂに対して接続要求信号が送出される（ステップＳ０８）。これにより、移動体通信ネットワーク３０ｂにおいて所定のセッション接続確立処理が行われた後、通信先の外部通信機器側から第１無線部６０３に対して接続応答信号が送られる（ステップＳ０９）。以上により、携帯電話機２０１と外部通信機器との間の接続が確立される。
【００３６】
その後、携帯電話機２０１において、ユーザにより終話ボタン押下等の所定の操作が行われることにより、外部通信機器との切断処理が開始される（ステップＳ１０）。その結果、第１通信状態検出部６０４により、第１無線部６０３における通信状態の“通信終了”への変更が検出される（ステップＳ１１）。その後、通信状態通知部６０５から第２無線部６０７に対して、検出された通信状態情報を含むデータが通知される（ステップＳ１２）。
【００３７】
これに対して、第２無線部６０７により、通知された通信状態情報を含むデータが携帯電話機２０１の電話番号と共に、情報提供装置１０に送信される（ステップＳ１３）。送信された通信状態情報を含むデータは、情報提供装置１０の情報受信部１０１が受信し、携帯電話機２０１の電話番号に関連づけて通信状態情報格納部１０５に格納する（ステップＳ１４）。その後、ステップＳ０６と同様の手順で、情報送信部１０４が通信状態情報を含むデータを送信先電話番号に向けて送信する（ステップＳ１５）。そうすると、送信先の携帯電話機のディスプレイ等の情報出力手段において、携帯電話機２０１の通信状態が“待受中”として出力される（ステップＳ１６、例えば、図７（ｂ）参照。）。
【００３８】
一方、携帯電話機２０１における終話操作に応じて、第１無線部６０３から移動体通信ネットワーク３０ｂに対して切断信号が送出される（ステップＳ１７）。これにより、移動体通信ネットワーク３０ｂにおいて所定のセッション切断処理が行われ、携帯電話機２０１と外部通信機器との間の接続が切断される。
【００３９】
以上説明した通信状態情報提供システム１によれば、第１無線部６０３及び第２無線部６０７の２種類の通信手段を有する携帯電話機２０１が、第１無線部６０３の通信状態を検出した後、その通信状態情報を第２無線部６０７に通知し、第２無線部６０７が無線ＬＡＮ３０ａ側に送出する。また、情報提供装置１０が、携帯電話機２０１から送出された通信状態情報を受信して、携帯電話機２０１の電話番号に関連づけて通信状態情報格納部１０５に格納し、予め携帯電話機２０１の電話番号に対応付けられている送信先に通信状態情報を送信する。これにより、特定ネットワークを使用しない通信手段の通信状態についても、その特定ネットワークを介して正確に把握させることができると共に、その通信状態情報を必要な送信先に提供することができる。その結果、複数種類の通信手段を有する通信端末の通信状態を一括して管理および提供することができる。
【００４０】
また、第１無線部６０３が接続中であるかの情報を無線ＬＡＮ３０ａ側に通知できるので、携帯電話機２０１がビジー状態（使用状態）であるかを無線ＬＡＮ３０ａ側に一括して把握させることができる。
【００４１】
なお、本発明は上述した各実施形態に限定されるものではない。例えば、携帯電話機２０１の第１無線部６０３及び第２無線部６０７における通信方式は特定のものには限定されず、赤外線通信、非接触ＩＣカード通信、Bluetooth（登録商標）通信等の他の通信方式を採用してもよい。また、携帯電話機２０１においては、３種類以上の通信機能を具備していてもよい。
【００４２】
また、情報提供者側の通信端末としては特定のものには限定されず、ＰＤＡ（Personal Digital Assistants）、ＰＨＳ（Personal Handyphone System）、パーソナルコンピュータ等を使用しても良い。
【図面の簡単な説明】
【００４３】
【図１】本実施形態にかかる通信状態情報提供システムの概略構成図である。
【図２】図１の携帯電話機の好適な一実施形態を示す概略構成図である。
【図３】図２の通信履歴情報格納部に格納されたデータの構成図である。
【図４】図１の通信状態情報格納部に格納されたデータの構成図である。
【図５】図１の配信先情報格納部に格納されたデータの構成図である
【図６】本実施形態にかかる通信状態情報提供システムの動作を示すシーケンス図である。
【図７】（ａ）は、セッション確立時の送信先の携帯電話機における情報出力例を示す図、（ｂ）は、セッション切断時の送信先の携帯電話機における情報出力例を示す図である。
【符号の説明】
【００４４】
１…通信状態情報提供システム、１０…情報提供装置、３０ａ…無線ＬＡＮ、３０ｂ…移動体通信ネットワーク、１０１…情報受信部、１０２…要求信号受信部、１０３…通信状態情報選択部、１０４…情報送信部、１０５…通信状態情報格納部、１０６…配信先情報格納部、４０１…基地局、５０１…無線ＬＡＮ親局、２０１，２０２…携帯電話機、６０１…移動体通信手段、６０２…無線ＬＡＮ通信手段、６０３…第１無線部、６０４…第１通信状態検出部、６０５…通信状態通知部、６０６…通信履歴情報格納部、６０７…第２無線部。
【図１】
2006033097.tif 000003
【図２】
2006033097.tif 000004
【図３】
2006033097.tif 000005
【図４】
2006033097.tif 000006
【図５】
2006033097.tif 000007
【図６】
2006033097.tif 000008
【図７】
2006033097.tif 000009